(57)【要約】【課題】露光装置の稼働率を低下させることなく高精度なウエハステージの駆動制御を維持する。【解決手段】露光動作（図８（Ａ））及びアライメント計測動作（図８（Ｂ））の少なくとも一方と並行して、エンコーダシステムを用いてウエハステージＷＳＴの位置情報を計測し、エンコーダシステムの個々のヘッド６４〜６８の計測情報のこれに対応する基準情報からのずれを、較正データとして収集する。収集された較正データを用いて、個々のヘッドの計測誤差を補正するための較正情報を作成する。そして、エンコーダシステムの計測結果と作成された較正情報とに従って、ウエハステージを駆動制御する。【選択図】図８
2010050290.tif 000002
【特許請求の範囲】
【請求項１】
物体上にパターンを形成する露光方法であって、
所定平面内を移動する移動体と該移動体の外部との一方に設けられた少なくとも１つのヘッドを用いて、前記移動体と該移動体の外部との他方に設けられた計測面に計測光を照射し、前記計測面からの光を受光して、前記移動体の位置情報を計測し、該位置情報に従って前記移動体を駆動する工程と；
前記移動体に保持される前記物体上にパターンを形成する工程と；
前記物体に付与されたマークを検出する工程と；
前記形成する工程と前記検出する工程との少なくとも一方と並行して、前記位置情報の該位置情報に対応する基準情報からのずれを収集する工程と；を含む露光方法。
【請求項２】
前記収集する工程では、前記ずれを、前記計測面上の前記計測光の照射点の位置に対して収集する請求項１に記載の露光方法。
【請求項３】
前記ずれに対して、モデルを仮定し、
前記収集する工程では、前記ずれと前記モデルとの差が大きい前記計測面上の領域ついて、該領域外の前記計測面上の領域より多くの前記ずれを収集する請求項２に記載の露光方法。
【請求項４】
前記ずれに対して、モデルを仮定し、
前記収集する工程では、前記ずれと前記モデルとの差の変化が著しい前記計測面上の領域ついて、該領域外の前記計測面上の領域より多くの前記ずれを収集する請求項２に記載の露光方法。
【請求項５】
前記収集する工程では、前記ずれの収集を、前記移動体の加速度と速度との少なくとも一方が許容範囲を超えた際には中断する請求項１〜４のいずれか一項に記載の露光方法。
【請求項６】
前記収集する工程では、前記ずれの収集を、前記移動体が停止している際には中断する請求項１〜５のいずれか一項に記載の露光方法。
【請求項７】
前記収集する工程では、前記ずれの収集を、前記移動体が前記所定平面内の一部の領域内のみを移動することが明らかである場合には中断する請求項１〜６のいずれか一項に記載の露光方法。
【請求項８】
前記収集する工程では、前記ずれの収集を、人為的に中断する請求項６又は７に記載の露光方法。
【請求項９】
前記収集する工程を、前記移動体が基準姿勢を維持している場合にのみ実行する請求項１〜８のいずれか一項に記載の露光方法。
【請求項１０】
前記収集する工程を、前記形成する工程中に前記移動体が移動する領域内に前記移動体が位置する際に実行する請求項１〜９のいずれか一項に記載の露光方法。
【請求項１１】
前記収集する工程を、前記検出する工程中に前記移動体が移動する領域内に前記移動体が位置する際に実行する請求項１〜１０のいずれか一項に記載の露光方法。
【請求項１２】
前記収集する工程において収集された前記ずれを用いて、前記位置情報を補正するための較正情報を作成する工程をさらに含む請求項１〜１１のいずれか一項に記載の露光方法。
【請求項１３】
前記作成する工程では、収集された前記ずれのうち、収集されてから一定時間内の前記ずれのみを用いる請求項１２に記載の露光方法。
【請求項１４】
前記作成する工程を、所定数の前記物体にパターンを形成する毎に実行する請求項１２又は１３に記載の露光方法。
【請求項１５】
前記作成する工程を、前記較正情報について一定の精度が保証される場合にのみ実行する請求項１２〜１４のいずれか一項に記載の露光方法。
【請求項１６】
前記駆動する工程では、前記作成する工程において作成された前記較正情報を用いて前記位置情報を補正し、補正された該位置情報に従って前記移動体を駆動する請求項１２〜１５のいずれか一項に記載の露光方法。
【請求項１７】
前記ヘッドとは独立の干渉計システムを用いて前記移動体の位置情報を計測し、該位置情報から前記ヘッドを用いて計測される前記位置情報を予測する工程を、さらに含み、
前記予測する工程において予測される前記位置情報を、前記基準情報とする請求項１〜１６のいずれか一項に記載の露光方法。
【請求項１８】
物体上にパターンを形成する露光方法であって、
所定平面内を移動する移動体と該移動体の外部との一方に設けられた少なくとも１つのヘッドを用いて、前記移動体と該移動体の外部との他方に設けられた計測面に計測光を照射し、前記計測面からの光を受光して、前記移動体の位置情報を計測し、該位置情報と該位置情報を補正するための較正情報とに従って前記移動体を駆動する工程と；
前記移動体に保持される前記物体上にパターンを形成する工程と；
前記物体に付与されたマークを検出する工程と；
前記形成する工程と前記検出する工程との少なくとも一方と並行して、前記移動体の位置情報を基準計測系を用いて計測し、該基準計測系の計測情報から前記ヘッドの計測情報を予測し、該計測情報からの前記ヘッドの計測情報のずれを前記計測面上の前記計測光の照射点の位置に対して収集する工程と；
前記収集する工程において収集された前記ずれを用いて、前記較正情報を作成する工程と；を含む露光方法。
【請求項１９】
前記較正情報を、前記計測面上の前記計測光の照射点の位置の関数である試行関数を用いて表現し、
前記作成する工程では、前記試行関数に含まれる未定乗数を、収集された前記ずれを用いて最小自乗決定することによって、前記較正情報を作成する請求項１８に記載の露光方法。
【請求項２０】
前記試行関数を、前記照射点の位置についての一次関数として与える請求項１９に記載の露光方法。
【請求項２１】
前記駆動する工程において、前記移動体の位置情報を計測するに際し、前記ヘッドを複数用い、
前記作成する工程では、前記較正情報を、前記複数のヘッドのすべてについて使用する共通の情報として作成する請求項１８〜２０のいずれか一項に記載の露光方法。
【請求項２２】
前記駆動する工程において、前記移動体の位置情報を計測するに際し、前記ヘッドを複数用い、
前記作成する工程では、前記較正情報を、前記複数のヘッドのそれぞれについて使用する個別の情報として作成する請求項１８〜２０のいずれか一項に記載の露光方法。
【請求項２３】
前記個別の情報は、該情報に対応する前記複数のヘッドのうちの１つのヘッドを用いて計測された前記位置情報の予測された前記位置情報からのずれを用いて作成される請求項２２に記載の露光方法。
【請求項２４】
前記駆動する工程において、前記移動体の位置情報を計測するに際し、前記ヘッドを複数用い、
前記複数のヘッドを用いて計測された前記位置情報の予測された前記位置情報からのずれの連続性が保証される場合に、前記試行関数を前記照射点の位置についての二次以上の高次関数として与える請求項１９に記載の露光方法。
【請求項２５】
前記駆動する工程では、前記較正情報を用いて前記位置情報を補正し、補正された該位置情報に従って前記移動体を駆動する請求項１８〜２４のいずれか一項に記載の露光方法。
【請求項２６】
前記基準計測系は、複数の干渉計から構成される干渉計システムである請求項１８〜２５のいずれか一項に記載の露光方法。
【請求項２７】
前記計測面は、前記所定平面内の少なくとも一軸方向を周期方向とするグレーティングを有し、
前記ヘッドは、前記周期方向を計測方向とする請求項１８〜２６のいずれか一項に記載の露光方法。
【請求項２８】
前記ヘッドは、前記所定平面に垂直な方向を計測方向とする請求項１８〜２６のいずれか一項に記載の露光方法。
【請求項２９】
前記形成する工程では、前記物体が有する感応層にエネルギビームを照射して前記パターンを形成する請求項１〜２８のいずれか一項に記載の露光方法。
【請求項３０】
前記エネルギビームを、光学系と、該光学系と前記物体の間に供給される液体と、を介して照射する請求項２９に記載の露光方法。
【請求項３１】
請求項１〜３０のいずれか一項に記載の露光方法を用いて、物体上にパターンを形成する工程と；
前記パターンが形成された前記物体に処理を施す工程と；を含むデバイス製造方法。
【請求項３２】
物体上にパターンを形成する露光装置であって、
前記物体を保持して所定平面内を移動する移動体と；
前記移動体と該移動体の外部との一方に設けられ、前記移動体と該移動体の外部との他方に設けられた計測面に計測光を照射し、前記計測面からの光を受光する少なくとも１つのヘッドを有し、該ヘッドの出力に基づいて前記移動体の位置情報を計測する位置計測系と；
前記物体上にパターンを生成するパターン生成装置と；
前記物体に付与されたマークを検出するマーク検出装置と；
前記位置情報に従って前記移動体を駆動するとともに、前記パターン生成装置による前記物体に対するパターン形成と、前記マーク検出装置による前記物体上のマークの検出と、の少なくとも一方と並行して、前記位置情報の該位置情報に対応する基準情報からのずれを収集する制御装置と；を備える露光装置。
【請求項３３】
前記制御装置は、前記ずれを、前記計測面上の前記計測光の照射点の位置に対して収集する請求項３２に記載の露光装置。
【請求項３４】
前記制御装置は、前記ずれに対して仮定されたモデルとの前記ずれの差が大きい前記計測面上の領域ついて、該領域外の前記計測面上の領域より多くの前記ずれを収集する請求項３３に記載の露光装置。
【請求項３５】
前記制御装置は、前記ずれに対して仮定されたモデルとの前記ずれの差の変化が著しい前記計測面上の領域ついて、該領域外の前記計測面上の領域より多くの前記ずれを収集する請求項３３に記載の露光装置。
【請求項３６】
前記制御装置は、前記ずれの収集を、前記移動体の加速度と速度との少なくとも一方が許容範囲を超えた際には中断する請求項３２〜３５のいずれか一項に記載の露光装置。
【請求項３７】
前記制御装置は、前記ずれの収集を、前記移動体が停止している際には中断する請求項３２〜３６のいずれか一項に記載の露光装置。
【請求項３８】
前記制御装置は、前記ずれの収集を、前記移動体が前記所定平面内の一部の領域内のみを移動することが明らかである場合には中断する請求項３２〜３７のいずれか一項に記載の露光装置。
【請求項３９】
前記制御装置は、前記移動体が基準姿勢を維持している場合にのみ、前記ずれを収集する請求項３２〜３８のいずれか一項に記載の露光装置。
【請求項４０】
前記制御装置は、前記パターン生成装置による前記物体に対するパターンの形成の際に前記移動体が移動する領域内に前記移動体が位置する際に、前記ずれを収集する請求項３２〜３９のいずれか一項に記載の露光装置。
【請求項４１】
前記制御装置は、前記マーク検出装置による前記物体上のマークの検出の際に前記移動体が移動する領域内に前記移動体が位置する時に、前記ずれを収集する請求項３２〜４０のいずれか一項に記載の露光装置。
【請求項４２】
前記制御装置は、収集した前記ずれを用いて、前記位置情報を補正するための較正情報を作成する請求項３２〜４１のいずれか一項に記載の露光装置。
【請求項４３】
前記制御装置は、収集した前記ずれのうち、収集してから一定時間内の前記ずれのみを用いる請求項４２に記載の露光装置。
【請求項４４】
前記制御装置は、所定数の前記物体にパターンを形成する毎に、前記較正情報を作成する請求項４２又は４３に記載の露光装置。
【請求項４５】
前記制御装置は、前記較正情報について一定の精度が保証される場合にのみ、前記較正情報を作成する請求項４２〜４４のいずれか一項に記載の露光装置。
【請求項４６】
前記制御装置は、前記較正情報を用いて前記位置情報を補正し、補正された該位置情報に従って前記移動体を駆動する請求項４２〜４５のいずれか一項に記載の露光装置。
【請求項４７】
前記移動体の位置情報を計測する干渉計システムをさらに備える請求項３２〜４６のいずれか一項に記載の露光装置。
【請求項４８】
前記制御装置は、前記干渉計システムの計測結果から前記ヘッドの出力に基づいて計測される前記位置情報を予測し、該位置情報を前記基準情報として使用する請求項４７に記載の露光装置。
【請求項４９】
前記計測面は、前記所定平面内の少なくとも一軸方向を周期方向とするグレーティングを有し、
前記ヘッドは、前記周期方向を計測方向とする請求項３２〜４８のいずれか一項に記載の露光装置。
【請求項５０】
前記計測面は、前記所定平面内で互いに直交する第１及び第２方向をそれぞれ周期方向とする第１及び第２グレーティングを有し、
前記位置計測系は、前記第１及び第２グレーティングの一方に計測光を照射するヘッドを少なくとも各１つ含む複数のヘッドを用いる請求項３２〜４８のいずれか一項に記載の露光装置。
【請求項５１】
前記ヘッドは、前記所定平面に垂直な方向を計測方向とする請求項３２〜４８のいずれか一項に記載の露光装置。
【請求項５２】
前記パターン生成装置は、前記物体が有する感応層にエネルギビームを照射することによって、パターンを形成する請求項３２〜５１のいずれか一項に記載の露光装置。
【請求項５３】
前記パターン生成装置は、光学系を含み、
前記光学系と前記物体の間に、液体を供給する液体供給装置をさらに備える請求項５２に記載の露光装置。
【請求項５４】
請求項３２〜５３のいずれか一項に記載の露光装置を用いて、物体上にパターンを形成することと；
前記パターンが形成された前記物体に処理を施すことと；を含むデバイス製造方法。
【発明の詳細な説明】
【技術分野】
【０００１】
本発明は、露光方法及び露光装置、並びにデバイス製造方法に係り、特に、半導体素子（集積回路等）、液晶表示素子等を製造するリソグラフィ工程で用いられる露光方法及び露光装置、並びに前記露光方法又は露光装置を用いるデバイス製造方法に関する。
【背景技術】
【０００２】
従来、半導体素子（集積回路等）、液晶表示素子等の電子デバイス（マイクロデバイス）を製造するリソグラフィ工程では、ステップ・アンド・リピート方式の投影露光装置（いわゆるステッパ）、あるいはステップ・アンド・スキャン方式の投影露光装置（いわゆるスキャニング・ステッパ（スキャナとも呼ばれる））などが、主として用いられている。
【０００３】
この種の露光装置では、ウエハ又はガラスプレート等の基板（以下、ウエハと総称する）上の複数のショット領域にレチクル（又はマスク）のパターンを転写するために、ウエハを保持するウエハステージが、例えばリニアモータ等により２次元方向に駆動される。ウエハステージの位置は、一般的に、長期に渡って高い安定性を有するレーザ干渉計を用いて、計測されていた。
【０００４】
しかし、近年、半導体素子の高集積化に伴うパターンの微細化により、重ね合わせ精度の要求が厳しくなり、レーザ干渉計のビーム路上の雰囲気の温度変化や温度勾配の影響で発生する空気揺らぎに起因する計測値の短期的な変動がオーバレイバジェット中の大きなウエイトを占めるようになった。
【０００５】
そこで、レーザ干渉計と同程度以上の計測分解能を有し、一般的に干渉計に比べて空気揺らぎの影響を受けにくいエンコーダを、ウエハステージの位置計測装置として採用する露光装置が、先に提案されている（例えば、特許文献１参照）。
【０００６】
しかるに、エンコーダでは、計測部材としてグレーティング（スケール）が用いられるため、経時的に熱的あるいは機械的な力の影響を受け、スケールが変形する。また、特に、特許文献１に記載の露光装置などでは、ウエハステージ上面に設けられた一部のグレーティングを面位置センサの計測面としても兼用しているので、スケールの変形は、面位置センサの計測精度にも悪影響を与える。
【０００７】
そこで、スループットを低下させることなく、エンコーダ（及び面位置センサ）の高精度な計測精度を実質的に維持することが可能な新技術の出現が期待されていた。
【０００８】
【特許文献１】国際公開第２００７／０９７３７９号パンフレット
【発明の開示】
【課題を解決するための手段】
【０００９】
本発明は、上述の事情の下でなされたものであり、第１の観点からすると、物体上にパターンを形成する露光方法であって、所定平面内を移動する移動体と該移動体の外部との一方に設けられた少なくとも１つのヘッドを用いて、前記移動体と該移動体の外部との他方に設けられた計測面に計測光を照射し、前記計測面からの光を受光して、前記移動体の位置情報を計測し、該位置情報に従って前記移動体を駆動する工程と；前記移動体に保持される前記物体上にパターンを形成する工程と；前記物体に付与されたマークを検出する工程と；前記形成する工程と前記検出する工程との少なくとも一方と並行して、前記位置情報の該位置情報に対応する基準情報からのずれを収集する工程と；を含む第１の露光方法である。
【００１０】
これによれば、収集する工程では、駆動する工程において計測される移動体の位置情報の該位置情報に対応する基準情報からのずれを収集する。従って、収集する工程において収集されるずれを用いて、ヘッドによる移動体の位置情報の計測誤差を補正することで、高精度な移動体の駆動制御が可能となる。さらに、収集する工程では、形成する工程と検出する工程との少なくとも一方と並行して、ずれを収集する。これにより、露光方法を実施する装置のスループットを低下させることなく、ずれの収集、ひいてはヘッドによる移動体の位置情報の計測誤差を補正することが可能になる。
【００１１】
本発明は、第２の観点からすると、物体上にパターンを形成する露光方法であって、所定平面内を移動する移動体と該移動体の外部との一方に設けられた少なくとも１つのヘッドを用いて、前記移動体と該移動体の外部との他方に設けられた計測面に計測光を照射し、前記計測面からの光を受光して、前記移動体の位置情報を計測し、該位置情報と該位置情報を補正するための較正情報とに従って前記移動体を駆動する工程と；前記移動体に保持される前記物体上にパターンを形成する工程と；前記物体に付与されたマークを検出する工程と；前記形成する工程と前記検出する工程との少なくとも一方と並行して、前記移動体の位置情報を基準計測系を用いて計測し、該基準計測系の計測情報から前記ヘッドの計測情報を予測し、該計測情報からの前記ヘッドの計測情報のずれを前記計測面上の前記計測光の照射点の位置に対して収集する工程と；前記収集する工程において収集された前記ずれを用いて、前記較正情報を作成する工程と；を含む第２の露光方法である。
【００１２】
これによれば、収集する工程では、移動体の位置情報を基準計測系を用いて計測し、その計測情報から駆動する工程において使用されるヘッドの計測情報を予測し、予測された計測情報からの駆動する工程において得られるヘッドの計測情報のずれを計測面上の計測光の照射点の位置に対して収集する。そして、作成する工程では、収集する工程において収集されたずれを用いて、駆動する工程において位置情報を補正するために使用する較正情報を作成する。従って、計測面上の計測光の照射点の位置に依存する計測誤差を補正するための較正情報を作成することができ、ひいては高精度な移動体の駆動制御が可能となる。
【００１３】
本発明は、第３の観点からすると、本発明の第１及び第２の露光方法のいずれかを用いて、物体上にパターンを形成する工程と；前記パターンが形成された前記物体に処理を施す工程と；を含む第１のデバイス製造方法である。
【００１４】
本発明は、第４の観点からすると、物体上にパターンを形成する露光装置であって、前記物体を保持して所定平面内を移動する移動体と；前記移動体と該移動体の外部との一方に設けられ、前記移動体と該移動体の外部との他方に設けられた計測面に計測光を照射し、前記計測面からの光を受光する少なくとも１つのヘッドを有し、該ヘッドの出力に基づいて前記移動体の位置情報を計測する位置計測系と；前記物体上にパターンを生成するパターン生成装置と；前記物体に付与されたマークを検出するマーク検出装置と；前記位置情報に従って前記移動体を駆動するとともに、前記パターン生成装置による前記物体に対するパターン形成と、前記マーク検出装置による前記物体上のマークの検出と、の少なくとも一方と並行して、前記位置情報の該位置情報に対応する基準情報からのずれを収集する制御装置と；を備える露光装置である。
【００１５】
これによれば、制御装置は、位置計測系を用いて計測される移動体の位置情報の該位置情報に対応する基準情報からのずれを収集する。従って、制御装置は、移動体を駆動するに際し、収集されるずれを用いて、ヘッドによる移動体の位置情報の計測誤差を補正することで、高精度な移動体の駆動制御が可能となる。さらに、制御装置は、パターン生成装置による物体に対するパターン形成と、マーク検出装置による物体上のマークの検出と、の少なくとも一方と並行して、ずれを収集する。これにより、スループットを低下せせることなく、ずれの収集、ひいてはヘッドによる移動体の位置情報の計測誤差を補正することが可能になる。
【００１６】
本発明は、第５の観点からすると、本発明の露光装置を用いて、物体上にパターンを形成することと；前記パターンが形成された前記物体に処理を施すことと；を含む第２のデバイス製造方法である。
【発明を実施するための最良の形態】
【００１７】
以下、本発明の一実施形態について、図１〜図９に基づいて説明する。
【００１８】
図１には、一実施形態の露光装置１００の構成が概略的に示されている。露光装置１００は、ステップ・アンド・スキャン方式の投影露光装置、いわゆるスキャナである。後述するように、本実施形態では投影光学系ＰＬとプライマリアライメント系ＡＬ１（図４、図５等参照）が設けられている。以下においては、投影光学系ＰＬの光軸ＡＸと平行な方向をＺ軸方向、これに直交する面内で光軸ＡＸとプライマリアライメント系ＡＬ１の検出中心を結ぶ直線と平行な方向をＹ軸方向、Ｚ軸及びＹ軸に直交する方向をＸ軸方向とし、Ｘ軸、Ｙ軸、及びＺ軸回りの回転（傾斜）方向をそれぞれθｘ、θｙ、及びθｚ方向として説明を行う。
【００１９】
露光装置１００は、照明系１０、レチクルステージＲＳＴ、投影ユニットＰＵ、ウエハステージＷＳＴを有するステージ装置５０、及びこれらの制御系等を備えている。図１では、ウエハステージＷＳＴ上にウエハＷが載置されている。
【００２０】
照明系１０は、レチクルブラインド（マスキングシステム）で規定されたレチクルＲ上のスリット状の照明領域ＩＡＲを、照明光（露光光）ＩＬによりほぼ均一な照度で照明する。照明系１０の構成は、例えば米国特許出願公開第２００３／００２５８９０号明細書などに開示されている。ここで、照明光ＩＬとして、一例として、ＡｒＦエキシマレーザ光（波長１９３ｎｍ）が用いられる。
【００２１】
レチクルステージＲＳＴ上には、そのパターン面（図１における下面）に回路パターンなどが形成されたレチクルＲが、例えば真空吸着により固定されている。レチクルステージＲＳＴは、例えばリニアモータ等を含むレチクルステージ駆動系１１（図１では不図示、図７参照）によって、ＸＹ平面内で微小駆動可能であるとともに、走査方向（図１における紙面内左右方向であるＹ軸方向）に所定の走査速度で駆動可能となっている。
【００２２】
レチクルステージＲＳＴのＸＹ平面内の位置情報（θｚ方向の回転情報を含む）は、レチクルレーザ干渉計（以下、「レチクル干渉計」という）１１６によって、移動鏡１５（又はレチクルステージＲＳＴの端面に形成された反射面）を介して、例えば０．２５ｎｍ程度の分解能で常時検出される。レチクル干渉計１１６の計測値は、主制御装置２０（図１では不図示、図７参照）に送られる。
【００２３】
投影ユニットＰＵは、レチクルステージＲＳＴの図１における下方に配置されている。投影ユニットＰＵは、鏡筒４０と、鏡筒４０内に保持された投影光学系ＰＬと、を含む。投影光学系ＰＬとしては、例えば、Ｚ軸方向と平行な光軸ＡＸに沿って配列される複数の光学素子（レンズエレメント）から成る屈折光学系が用いられる。投影光学系ＰＬは、例えば両側テレセントリックで、所定の投影倍率（例えば１／４倍、１／５倍又は１／８倍など）を有する。このため、照明系１０によってレチクルＲ上の照明領域ＩＡＲが照明されると、投影光学系ＰＬの第１面（物体面）とパターン面がほぼ一致して配置されるレチクルＲを通過した照明光ＩＬにより、投影光学系ＰＬ（投影ユニットＰＵ）を介してその照明領域ＩＡＲ内のレチクルＲの回路パターンの縮小像（回路パターンの一部の縮小像）が、その第２面（像面）側に配置される、表面にレジスト（感応剤）が塗布されたウエハＷ上の前記照明領域ＩＡＲに共役な領域（以下、露光領域とも呼ぶ）ＩＡに形成される。そして、レチクルステージＲＳＴとウエハステージＷＳＴとの同期駆動によって、照明領域ＩＡＲ（照明光ＩＬ）に対してレチクルＲを走査方向（Ｙ軸方向）に相対移動させるとともに、露光領域ＩＡ（照明光ＩＬ）に対してウエハＷを走査方向（Ｙ軸方向）に相対移動させることで、ウエハＷ上の１つのショット領域（区画領域）の走査露光が行われ、そのショット領域にレチクルのパターンが転写される。すなわち、本実施形態では照明系１０、レチクルＲ及び投影光学系ＰＬによってウエハＷ上にパターンが生成され、照明光ＩＬによるウエハＷ上の感応層（レジスト層）の露光によってウエハＷ上にそのパターンが形成される。
【００２４】
ステージ装置５０は、図１に示されるように、ベース盤１２上に配置されたウエハステージＷＳＴ、ウエハステージＷＳＴの位置情報を計測する計測システム２００（図７参照）、及びウエハステージＷＳＴを駆動するステージ駆動系１２４（図７参照）等を備えている。計測システム２００は、図７に示されるように、干渉計システム１１８、エンコーダシステム１５０及び面位置計測システム１８０などを含む。
【００２５】
ウエハステージＷＳＴは、不図示の非接触軸受、例えばエアベアリングなどにより、数μｍ程度のクリアランスを介して、ベース盤１２の上方に支持されている。また、ウエハステージＷＳＴは、リニアモータ等を含むステージ駆動系１２４（図７参照）によって、Ｘ軸方向及びＹ軸方向に所定ストロークで駆動可能である。
【００２６】
ウエハステージＷＳＴは、ステージ本体９１と、該ステージ本体９１上に搭載されたウエハテーブルＷＴＢとを含む。このウエハテーブルＷＴＢ及びステージ本体９１は、リニアモータ及びＺ・レベリング機構（ボイスコイルモータなどを含む）を含む駆動系によって、ベース盤１２に対し、６自由度方向（Ｘ，Ｙ，Ｚ，θｘ，θｙ，θｚ）に駆動可能に構成されている。
【００２７】
ウエハテーブルＷＴＢの上面の中央には、ウエハＷを真空吸着等によって保持するウエハホルダ（不図示）が設けられている。図２に示されるように、ウエハテーブルＷＴＢ上面のウエハホルダ（ウエハＷ）の＋Ｙ側には、計測プレート３０が設けられている。この計測プレート３０には、中央に基準マークＦＭが設けられ、基準マークＦＭのＸ軸方向の両側に一対の空間像計測スリットパターン（スリット状の計測用パターン）ＳＬが、設けられている。そして、各空間像計測スリットパターンＳＬに対応して、ウエハテーブルＷＴＢの内部には、光学系及び受光素子などが配置されている。すなわち、ウエハテーブルＷＴＢ上には、空間像計測スリットパターンＳＬを含む一対の空間像計測装置４５Ａ，４５Ｂ（図７参照）が設けられている。
【００２８】
また、ウエハテーブルＷＴＢ上面には、後述するエンコーダシステムで用いられるスケールが形成されている。詳述すると、ウエハテーブルＷＴＢ上面のＸ軸方向（図２における紙面内左右方向）の一側と他側の領域には、それぞれＹスケール３９Ｙ1，３９Ｙ2が形成されている。Ｙスケール３９Ｙ1，３９Ｙ2は、例えば、Ｘ軸方向を長手方向とする格子線３８が所定ピッチでＹ軸方向に配列された、Ｙ軸方向を周期方向とする反射型の格子（例えば回折格子）によって構成されている。
【００２９】
同様に、ウエハテーブルＷＴＢ上面のＹ軸方向（図２における紙面内上下方向）の一側と他側の領域には、Ｙスケール３９Ｙ1及び３９Ｙ2に挟まれた状態で、Ｘスケール３９Ｘ1，３９Ｘ2がそれぞれ形成されている。Ｘスケール３９Ｘ1，３９Ｘ2は、例えば、Ｙ軸方向を長手方向とする格子線３７が所定ピッチでＸ軸方向に配列された、Ｘ軸方向を周期方向とする反射型の格子（例えば回折格子）によって構成されている。
【００３０】
なお、格子線３７，３８のピッチは、例えば１μｍと設定される。図２及びその他の図において、図示の便宜のため、格子のピッチを実際のピッチよりも大きく図示している。
【００３１】
また、回折格子を保護するために、低熱膨張率のガラス板でカバーすることも有効である。ここで、ガラス板としては、厚さがウエハと同程度、例えば厚さ１ｍｍのものを用いることができ、そのガラス板の表面がウエハ面と同じ高さ（同一面）になるよう、ウエハテーブルＷＴＢ上面に設置される。
【００３２】
また、ウエハテーブルＷＴＢの−Ｙ端面，−Ｘ端面には、図２に示されるように、後述する干渉計システムで用いられる反射面１７ａ，反射面１７ｂが形成されている。
【００３３】
また、ウエハテーブルＷＴＢの−Ｙ側の面には、図２に示されるように、国際公開第２００７／０９７３７９号パンフレットに開示されるＣＤバーと同様の、Ｘ軸方向に延びるフィデューシャルバー（以下、「ＦＤバー」と略述する）４６が取り付けられている。ＦＤバー４６の長手方向の一側と他側の端部近傍には、センターラインＬＬに関して対称な配置で、Ｙ軸方向を周期方向とする基準格子（例えば回折格子）５２がそれぞれ形成されている。また、ＦＤバー４６の上面には、複数の基準マークＭが形成されている。各基準マークＭとしては、後述するアライメント系によって検出可能な寸法の２次元マークが用いられている。
【００３４】
本実施形態の露光装置１００では、図４及び図５に示されるように、投影光学系ＰＬの光軸ＡＸとプライマリアライメント系ＡＬ１の検出中心を結ぶＹ軸に平行な直線（以下、基準軸と呼ぶ）ＬＶ上で、光軸ＡＸから−Ｙ側に所定距離隔てた位置に検出中心を有するプライマリアライメント系ＡＬ１が配置されている。プライマリアライメント系ＡＬ１は、不図示のメインフレームの下面に固定されている。図５に示されるように、プライマリアライメント系ＡＬ１を挟んで、Ｘ軸方向の一側と他側には、基準軸ＬＶに関してほぼ対称に検出中心が配置されるセカンダリアライメント系ＡＬ２1，ＡＬ２2と、ＡＬ２3，ＡＬ２4とがそれぞれ設けられている。セカンダリアライメント系ＡＬ２1〜ＡＬ２4は、可動式の支持部材を介してメインフレーム（不図示）の下面に固定されており、駆動機構６０1〜６０4（図７参照）により、Ｘ軸方向に関してそれらの検出領域の相対位置が調整可能となっている。
【００３５】
本実施形態では、アライメント系ＡＬ１，ＡＬ２1〜ＡＬ２4のそれぞれとして、例えば画像処理方式のＦＩＡ（Field Image Alignment）系が用いられている。アライメント系ＡＬ１，ＡＬ２1〜ＡＬ２4のそれぞれからの撮像信号は、不図示の信号処理系を介して主制御装置２０に供給される。
【００３６】
干渉計システム１１８は、図３に示されるように、反射面１７ａ又は１７ｂにそれぞれ干渉計ビーム（測長ビーム）を照射し、その反射光を受光して、ウエハステージＷＳＴのＸＹ平面内の位置を計測するＹ干渉計１６と、３つのＸ干渉計１２６〜１２８と、一対のＺ干渉計４３Ａ，４３Ｂとを備えている。詳述すると、Ｙ干渉計１６は、基準軸ＬＶに関して対称な一対の測長ビームＢ４1，Ｂ４2を含む少なくとも３つのＹ軸に平行な測長ビームを反射面１７ａ、及び後述する移動鏡４１に照射する。また、Ｘ干渉計１２６は、図３に示されるように、光軸ＡＸと基準軸ＬＶとに直交するＸ軸に平行な直線（以下、基準軸と呼ぶ）ＬＨに関して対称な一対の測長ビームＢ５1，Ｂ５2を含む少なくとも３つのＸ軸に平行な測長ビームを反射面１７ｂに照射する。また、Ｘ干渉計１２７は、アライメント系ＡＬ１の検出中心にて基準軸ＬＶと直交するＸ軸に平行な直線（以下、基準軸と呼ぶ）ＬＡを測長軸とする測長ビームＢ６を含む少なくとも２つのＹ軸に平行な測長ビームを反射面１７ｂに照射する。また、Ｘ干渉計１２８は、Ｙ軸に平行な測長ビームＢ７を反射面１７ｂに照射する。
【００３７】
干渉計システム１１８の上記各干渉計からの位置情報は、主制御装置２０に供給される。主制御装置２０は、Ｙ干渉計１６及びＸ干渉計１２６又は１２７の計測結果に基づいて、ウエハテーブルＷＴＢ（ウエハステージＷＳＴ）のＸ，Ｙ位置に加え、θｘ方向の回転情報（すなわちピッチング）、θｙ方向の回転情報（すなわちローリング）、及びθｚ方向の回転情報（すなわちヨーイング）も算出することができる。
【００３８】
また、図１に示されるように、ステージ本体９１の−Ｙ側の側面に、凹形状の反射面を有する移動鏡４１が取り付けられている。移動鏡４１は、図２からわかるように、Ｘ軸方向の長さがウエハテーブルＷＴＢの反射面１７ａよりも長い。
【００３９】
移動鏡４１に対向して、干渉計システム１１８（図７参照）の一部を構成する一対のＺ干渉計４３Ａ，４３Ｂが設けられている（図１及び図３参照）。Ｚ干渉計４３Ａ，４３Ｂは、移動鏡４１を介して、例えば投影ユニットＰＵを支持するフレーム（不図示）に固定された固定鏡４７Ａ，４７Ｂにそれぞれ２つのＹ軸に平行な測長ビームＢ１，Ｂ２を照射する。そして、それぞれの反射光を受光して、測長ビームＢ１，Ｂ２の光路長を計測する。その結果より、主制御装置２０は、ウエハステージＷＳＴの４自由度（Ｙ，Ｚ，θｙ，θｚ）方向の位置を算出する。
【００４０】
本実施形態の露光装置１００には、干渉計システム１１８とは独立に、ウエハステージＷＳＴのＸＹ平面内での位置（Ｘ，Ｙ，θｚ）を計測するために、エンコーダシステム１５０を構成する複数のヘッドユニットが設けられている。
【００４１】
図４に示されるように、投影ユニットＰＵの＋Ｘ側、＋Ｙ側、−Ｘ側、及びプライマリアライメント系ＡＬ１の−Ｙ側に、４つのヘッドユニット６２Ａ、６２Ｂ、６２Ｃ、及び６２Ｄが、それぞれ配置されている。また、アライメント系ＡＬ１、ＡＬ２1〜ＡＬ２4のＸ軸方向の両外側にヘッドユニット６２Ｅ、６２Ｆが、それぞれ設けられている。ヘッドユニット６２Ａ〜６２Ｆは、支持部材を介して、投影ユニットＰＵを保持するメインフレーム（不図示）に吊り下げ状態で固定されている。なお、図４において、符号ＵＰは、ウエハステージＷＳＴ上にあるウエハのアンロードが行われるアンローディングポジションを示し、符号ＬＰは、ウエハステージＷＳＴ上への新たなウエハのロードが行われるローディングポジションを示す。
【００４２】
ヘッドユニット６２Ａ、６２Ｃは、図５に示されるように、前述の基準軸ＬＨ上に所定間隔で配置された複数（ここでは５個）のＹヘッド６５1〜６５5、Ｙヘッド６４1〜６４5を、それぞれ備えている。以下では、必要に応じて、Ｙヘッド６５1〜６５5及びＹヘッド６４1〜６４5を、それぞれ、Ｙヘッド６５及びＹヘッド６４とも記述する。
【００４３】
ヘッドユニット６２Ａ，６２Ｃは、Ｙスケール３９Ｙ1，３９Ｙ2を用いて、ウエハステージＷＳＴ（ウエハテーブルＷＴＢ）のＹ軸方向の位置（Ｙ位置）を計測する多眼のＹリニアエンコーダ７０Ａ，７０Ｃ（図７参照）を構成する。なお、以下では、Ｙリニアエンコーダを、適宜、「Ｙエンコーダ」又は「エンコーダ」と略述する。
【００４４】
ヘッドユニット６２Ｂは、図５に示されるように、投影ユニットＰＵの＋Ｙ側に配置され、基準軸ＬＶ上に間隔ＷＤで配置された複数（ここでは４個）のＸヘッド６６5〜６６8を備えている。また、ヘッドユニット６２Ｄは、プライマリアライメント系ＡＬ１の−Ｙ側に配置され、基準軸ＬＶ上に間隔ＷＤで配置された複数（ここでは４個）のＸヘッド６６1〜６６4を備えている。以下では、必要に応じて、Ｘヘッド６６5〜６６8及びＸヘッド６６1〜６６4をＸヘッド６６とも記述する。
【００４５】
ヘッドユニット６２Ｂ，６２Ｄは、Ｘスケール３９Ｘ1,３９Ｘ2を用いて、ウエハステージＷＳＴ（ウエハテーブルＷＴＢ）のＸ軸方向の位置（Ｘ位置）を計測する多眼のＸリニアエンコーダ７０Ｂ，７０Ｄ（図７参照）を構成する。なお、以下では、Ｘリニアエンコーダを、適宜、「Ｘエンコーダ」又は「エンコーダ」と略述する。
【００４６】
ここで、ヘッドユニット６２Ａ，６２Ｃがそれぞれ備える５個のＹヘッド６５，６４（より正確には、Ｙヘッド６５，６４が発する計測ビームのスケール上の照射点）のＸ軸方向の間隔ＷＤは、露光の際などに、少なくとも１つのヘッドが、常に、対応するＹスケール３９Ｙ1，３９Ｙ2に対向する（計測ビームを照射する）ように定められている。同様に、ヘッドユニット６２Ｂ，６２Ｄがそれぞれ備える隣接するＸヘッド６６（より正確には、Ｘヘッド６６が発する計測ビームのスケール上の照射点）のＹ軸方向の間隔ＷＤは、露光の際などに、少なくとも１つのヘッドが、常に、対応するＸスケール３９Ｘ又は３９Ｘ2に対向する（計測ビームを照射する）ように定められている。
【００４７】
なお、ヘッドユニット６２Ｂの最も−Ｙ側のＸヘッド６６5とヘッドユニット６２Ｄの最も＋Ｙ側のＸヘッド６６4との間隔は、ウエハステージＷＳＴのＹ軸方向の移動により、その２つのＸヘッド間で切り換え（つなぎ）が可能となるように、ウエハテーブルＷＴＢのＹ軸方向の幅よりも狭く設定されている。
【００４８】
ヘッドユニット６２Ｅは、図５に示されるように、複数（ここでは４個）のＹヘッド６７1〜６７4を備えている。
【００４９】
ヘッドユニット６２Ｆは、複数（ここでは４個）のＹヘッド６８1〜６８4を備えている。Ｙヘッド６８1〜６８4は、基準軸ＬＶに関して、Ｙヘッド６７4〜６７1と対称な位置に配置されている。以下では、必要に応じて、Ｙヘッド６７4〜６７1及びＹヘッド６８1〜６８4を、それぞれＹヘッド６７及びＹヘッド６８とも記述する。
【００５０】
アライメント計測の際には、少なくとも各１つのＹヘッド６７，６８が、それぞれＹスケール３９Ｙ2，３９Ｙ1に対向する。このＹヘッド６７，６８（すなわち、これらＹヘッド６７，６８によって構成されるＹエンコーダ７０Ｅ，７０Ｆ）によってウエハステージＷＳＴのＹ位置（及びθｚ回転）が計測される。
【００５１】
また、本実施形態では、セカンダリアライメント系のベースライン計測時などに、セカンダリアライメント系ＡＬ２1，ＡＬ２4にＸ軸方向で隣接するＹヘッド６７3，６８2が、ＦＤバー４６の一対の基準格子５２とそれぞれ対向し、その一対の基準格子５２と対向するＹヘッド６７3，６８2によって、ＦＤバー４６のＹ位置が、それぞれの基準格子５２の位置で計測される。以下では、一対の基準格子５２にそれぞれ対向するＹヘッド６７3，６８2によって構成されるエンコーダをＹリニアエンコーダ７０Ｅ2，７０Ｆ2（図７参照）と呼ぶ。また、識別のため、Ｙスケール３９Ｙ2，３９Ｙ1に対向するＹヘッド６７，６８によって構成されるＹエンコーダを、Ｙエンコーダ７０Ｅ1、７０Ｆ1と呼ぶ。
【００５２】
上述したエンコーダ７０Ａ〜７０Ｆの計測値は、主制御装置２０に供給される。主制御装置２０は、エンコーダ７０Ａ〜７０Ｄのうちの３つ、又はエンコーダ７０Ｅ1，７Ｆ1，７０Ｂ及び７０Ｄのうちの３つの計測値に基づいて、ウエハステージＷＳＴのＸＹ平面内での位置（Ｘ，Ｙ，θｚ）を算出する。ここで、Ｘヘッド６６，Ｙヘッド６５，６４（又は６８，６７）の計測値（それぞれＣX，ＣY1，ＣY2と表記する）は、ウエハステージＷＳＴの位置（Ｘ，Ｙ，θｚ）に対して、次式（１）〜（３）のように依存する。
【００５３】
ＣＸ＝  （ｐＸ−Ｘ）ｃｏｓθｚ＋（ｑＸ−Ｙ）ｓｉｎθｚ  …（１）
ＣＹ1＝−（ｐＹ1−Ｘ）ｓｉｎθｚ＋（ｑＹ1−Ｙ）ｃｏｓθｚ  …（２）
ＣＹ2＝−（ｐＹ2−Ｘ）ｓｉｎθｚ＋（ｑＹ2−Ｙ）ｃｏｓθｚ  …（３）
ただし、（ｐＸ，ｑＸ），（ｐＹ1，ｑＹ1），（ｐＹ2，ｑＹ2）は、それぞれＸヘッド６６，Ｙヘッド６５（又は６８），Ｙヘッド６４（又は６７）のＸ，Ｙ設置位置（より正確には計測ビームの照射点のＸ，Ｙ位置）である。そこで、主制御装置２０は、３つのヘッドの計測値ＣX，ＣY1，ＣY2を連立方程式（１）〜（３）に代入し、それらを解くことにより、ウエハステージＷＳＴのＸＹ平面内での位置（Ｘ，Ｙ，θｚ）を算出する。この算出結果に従って、ウエハステージＷＳＴを駆動制御する。
【００５４】
また、主制御装置２０は、リニアエンコーダ７０Ｅ2，７０Ｆ2の計測値に基づいて、ＦＤバー４６（ウエハステージＷＳＴ）のθｚ方向の回転を制御する。ここで、リニアエンコーダ７０Ｅ，７０Ｆの計測値（それぞれＣＹ1，ＣＹ2と表記する）は、ＦＤバー４６の（Ｘ，Ｙ，θｚ）位置に対し、式（２）、（３）のように依存する。従って、ＦＤバー４６のθｚ位置は、計測値ＣＹ1，ＣＹ2より、次式（４）のように求められる。
【００５５】
ｓｉｎθｚ＝−（ＣＹ1−ＣＹ2）／（ｐＹ1−ｐＹ2）  …（４）
ただし、簡単のため、ｑＹ1＝ｑＹ2を仮定した。
【００５６】
なお、各エンコーダヘッド（Ｙヘッド、Ｘヘッド）として、例えば、国際公開第２００７／０９７３７９号パンフレットに開示されている干渉型のエンコーダヘッドを用いることができる。この種のエンコーダヘッドでは、２つの計測ビームを対応するスケールに照射し、それぞれの戻り光を１つの干渉光に合成して受光し、その干渉光の強度を光検出器を用いて計測する。その干渉光の強度変化より、スケールの計測方向（回折格子の周期方向）への変位を計測する。
【００５７】
さらに、本実施形態の露光装置１００では、図４及び図６に示されるように、照射系９０ａ及び受光系９０ｂから成る多点焦点位置検出系（以下、「多点ＡＦ系」と略述する）が設けられている。多点ＡＦ系としては、例えば米国特許第５，４４８，３３２号明細書等に開示されるものと同様の構成の斜入射方式を採用している。本実施形態では、一例として、前述のヘッドユニット６２Ｅの−Ｘ端部の＋Ｙ側に照射系９０ａが配置され、これに対峙する状態で、前述のヘッドユニット６２Ｆの＋Ｘ端部の＋Ｙ側に受光系９０ｂが配置されている。なお、多点ＡＦ系（９０ａ，９０ｂ）は、投影ユニットＰＵを保持するメインフレームの下面に固定されている。
【００５８】
図４及び図６では、それぞれ検出ビームが照射される複数の検出点が、個別に図示されず、照射系９０ａ及び受光系９０ｂの間でＸ軸方向に延びる細長い検出領域（ビーム領域）ＡＦとして示されている。検出領域ＡＦは、Ｘ軸方向の長さがウエハＷの直径と同程度に設定されているので、ウエハＷをＹ軸方向に１回スキャンするだけで、ウエハＷのほぼ全面でＺ軸方向の位置情報（面位置情報）を計測できる。
【００５９】
図６に示されるように、多点ＡＦ系（９０ａ，９０ｂ）の検出領域ＡＦの両端部近傍に、基準軸ＬＶに関して対称な配置で、面位置計測システム１８０の一部を構成する各一対のＺ位置計測用のヘッド（以下、「Ｚヘッド」と略述する）７２ａ，７２ｂ、及び７２ｃ，７２ｄが設けられている。これらのＺヘッド７２ａ〜７２ｄは、不図示のメインフレームの下面に固定されている。
【００６０】
Ｚヘッド７２ａ〜７２ｄとしては、例えば、ＣＤドライブ装置などで用いられる光ピックアップと同様の光学式変位センサのヘッドが用いられる。Ｚヘッド７２ａ〜７２ｄは、ウエハテーブルＷＴＢに対し上方から計測ビームを照射し、その反射光を受光して、照射点におけるウエハテーブルＷＴＢの面位置を計測する。なお、本実施形態では、Ｚヘッドの計測ビームは、前述のＹスケール３９Ｙ1，３９Ｙ2を構成する反射型回折格子によって反射される構成を採用している。
【００６１】
さらに、前述のヘッドユニット６２Ａ，６２Ｃは、図６に示されるように、それぞれが備える５つのＹヘッド６５j，６４i（ｉ，ｊ＝１〜５）と同じＸ位置に、ただしＹ位置をずらして、それぞれ５つのＺヘッド７６j，７４i（ｉ，ｊ＝１〜５）を備えている。そして、ヘッドユニット６２Ａ，６２Ｃのそれぞれに属する５つのＺヘッド７６j，７４iは、互いに基準軸ＬＶに関して対称に配置されている。なお、各Ｚヘッド７６j，７４iとしては、前述のＺヘッド７２ａ〜７２ｄと同様の光学式変位センサのヘッドが採用される。
【００６２】
上述したＺヘッド７２ａ〜７２ｄ，７４1〜７４5，７６1〜７６5は、図７に示されるように、信号処理・選択装置１７０を介して主制御装置２０に接続されており、主制御装置２０は、信号処理・選択装置１７０を介してＺヘッド７２ａ〜７２ｄ，７４1〜７４5，７６1〜７６5の中から任意のＺヘッドを選択して作動状態とし、その作動状態としたＺヘッドで検出した面位置情報を信号処理・選択装置１７０を介して受け取る。本実施形態では、Ｚヘッド７２ａ〜７２ｄ，７４1〜７４5，７６1〜７６5と、信号処理・選択装置１７０とを含んでウエハステージＷＳＴのＺ軸方向及びＸＹ平面に対する傾斜方向の位置情報を計測する面位置計測システム１８０が構成されている。
【００６３】
本実施形態では、主制御装置２０は、面位置計測システム１８０（図７参照）を用いて、ウエハステージＷＳＴの有効ストローク領域、すなわち露光及びアライメント計測のためにウエハステージＷＳＴが移動する領域において、その２自由度方向（Ｚ，θｙ）の位置座標を計測する。
【００６４】
主制御装置２０は、露光時には、少なくとも各１つのＺヘッド７４i，７６j（ｉ，ｊは１〜５のいずれか）の計測値に従って、テーブル面上の基準点（テーブル面と光軸ＡＸとの交点）における、ウエハステージＷＳＴの高さＺ０とローリングθｙを算出する。ここで、Ｚヘッド７４i，７６j（ｉ，ｊは１〜５のいずれか）の計測値（それぞれＺL，ＺRと表記する）は、ウエハステージＷＳＴの（Ｚ0，θｘ，θｙ）位置に対して、次式（５），（６）のように依存する。
【００６５】
ＺL＝−ｔａｎθｙ・ｐL＋ｔａｎθｘ・ｑL＋Ｚ0    …（５）
ＺR＝−ｔａｎθｙ・ｐR＋ｔａｎθｘ・ｑR＋Ｚ0    …（６）
ただし、スケール表面を含めウエハテーブルＷＴＢの上面は、理想的な平面だとする。なお、（ｐL，ｑL），（ｐR，ｑR）は、それぞれＺヘッド７４i，７６jのＸ，Ｙ設置位置（より正確には計測ビームの照射点のＸ，Ｙ位置）である。式（５）、（６）より、次式（７）、（８）が導かれる。
【００６６】
Ｚ0＝〔ＺL＋ＺR−ｔａｎθｘ・（ｑL＋ｑR）〕／２                  …（７）
ｔａｎθｙ＝〔ＺL−ＺR−ｔａｎθｘ・（ｑL−ｑR）〕／（ｐR−ｐL）  …（８）
従って、主制御装置２０は、Ｚヘッド７４i，７６jの計測値ＺL，ＺRを用いて、式（７）、（８）より、ウエハステージＷＳＴの高さＺ０とローリングθｙを算出する。ただし、ピッチングθｘは、別のセンサシステム（本実施形態では干渉計システム１１８）の計測結果を用いる。
【００６７】
主制御装置２０は、フォーカスキャリブレーションとフォーカスマッピング時には、４つのＺヘッド７２ａ〜７２ｄの計測値（それぞれＺａ，Ｚｂ，Ｚｃ，Ｚｄと表記する）を用いて、多点ＡＦ系（９０ａ，９０ｂ）の複数の検出点の中心（Ｘ，Ｙ）＝（Ｏｘ’，Ｏｙ’）におけるウエハテーブルＷＴＢの高さＺ０とローリングθｙを、次式（９）（１０）より、算出する。
【００６８】
Ｚ０＝（Ｚａ＋Ｚｂ＋Ｚｃ＋Ｚｄ）／４  …（９）
ｔａｎθｙ＝−（Ｚａ＋Ｚｂ−Ｚｃ−Ｚｄ）／（ｐa＋ｐb−ｐc−ｐd）  …（１０）
ここで、（ｐａ，ｑａ），（ｐｂ，ｑｂ），（ｐｃ，ｑｃ），（ｐｄ，ｑｄ）はそれぞれＺヘッド７２ａ〜７２ｄのＸ，Ｙ設置位置（より正確には計測ビームの照射点のＸ，Ｙ位置）である。ただし、ｐa＝ｐb，ｐc＝ｐd，ｑa＝ｑc，ｑb＝ｑd，（ｐa＋ｐc）／２＝（ｐb＋ｐd）／２＝Ｏｘ’，（ｑa＋ｑb）／２＝（ｑc＋ｑd）／２＝Ｏｙ’とする。なお、先と同様に、ピッチングθｘは、別のセンサシステム（本実施形態では干渉計システム１１８）の計測結果を用いる。
【００６９】
図７には、露光装置１００の制御系の主要な構成が示されている。この制御系は、装置全体を統括的に制御するマイクロコンピュータ（又はワークステーション）から成る主制御装置２０を中心として構成されている。
【００７０】
上述のようにして構成された本実施形態の露光装置では、例えば国際公開第２００７／０９７３７９号パンフレットの実施形態中に開示されている手順と同様の手順に従って、ウエハステージＷＳＴを用いた通常のシーケンスの処理が、主制御装置２０によって実行される。なお、これについては後述する。
【００７１】
ところで、Ｙスケール３９Ｙ1，３９Ｙ2及びＸスケール３９Ｘ1，３９Ｘ2を構成する回折格子（所定のピッチで配列された無数の格子線３８，３７）は、長時間の使用において、熱的あるいは機械的な力の作用により歪むことがある。そのようなスケールの歪みは、たとえ微小であっても、本実施形態の露光装置１００において要求されるエンコーダシステム１５０（エンコーダヘッド）の計測精度に対し、必ずしも無視できない計測誤差を生じ得る。また、Ｙスケール３９Ｙ1，３９Ｙ2（を構成する反射型回折格子）の表面は、必ずしも理想的な平面ではない。また、前述の通り、Ｙスケール３９Ｙ1，３９Ｙ2は、経時的に変形することがある。そのようスケール表面の凹凸は、露光装置１００において要求される面位置計測システム１８０（Ｚヘッド）の計測精度に対し、必ずしも無視できない計測誤差を生じ得る。
【００７２】
そこで、本実施形態では、主制御装置２０が、干渉計システム１１８を用いて、エンコーダシステム１５０の計測誤差を補正するための較正情報を収集・作成し、それを用いてエンコーダシステム１５０の計測誤差を補正して、ウエハステージＷＳＴの位置計測精度を保障する。また、主制御装置２０は、干渉計システム１１８を用いて、面位置計測システム１８０の計測誤差を補正するための較正情報を収集・作成し、それを用いて面位置計測システム１８０の計測誤差を補正して、ウエハステージＷＳＴの位置計測精度を保障する。以下、これについて説明する。
【００７３】
主制御装置２０は、前述の手順に従ってエンコーダシステム１５０を用いてウエハステージＷＳＴのＸ，Ｙ，θｚ位置を計測すると同時に、干渉計システム１１８を用いて同じくウエハステージＷＳＴのＸ，Ｙ，θｚ位置を計測する。ここで、干渉計システム１１８のＸ，Ｙ，θｚ位置の計測結果を、それぞれξ，ζ，σと表記する。
【００７４】
主制御装置２０は、Ｘヘッド６６に対する較正情報を作成するために、較正データεＸ（εＸ１，εＸ２）を収集する。干渉計システム１１８を用いて得られるウエハステージＷＳＴの位置計測結果（ξ，ζ，σ）を、それぞれ、式（１）のＸ，Ｙ，θｚに代入し、Ｘヘッド６６の計測値ＣＸを予測する。予測された計測値ＣＸを、ΓＸと表記する。そして、Ｘヘッド６６の計測値ＣＸとその予測値ΓＸとの差εＸ＝ＣＸ−ΓＸを、較正データとして、Ｘスケール３９Ｘ1又は３９Ｘ2上のＸヘッド６６の計測ビームの照射点の位置（ｘ，ｙ）に対して、収集する。ただし、Ｘヘッド６６５〜６６８、すなわちＸスケール３９Ｘ1に対して収集された差εＸをεＸ１、Ｘヘッド６６１〜６６４、すなわちＸスケール３９Ｘ2に対して収集された差εＸをεＸ２、とする。
【００７５】
なお、較正データεＸには、主としてスケールの歪みに起因するエンコーダヘッドの計測誤差が取り込まれるが、原理上、スケール上の計測ビームの照射点の位置に依存するその他の計測誤差も取り込まれる。
【００７６】
主制御装置２０は、Ｙヘッド６５，６４に対する較正情報を作成するために、較正データεＹ1，εＹ2を収集する。主制御装置２０は、干渉計システム１１８を用いて得られるウエハステージＷＳＴの位置計測結果（ξ，ζ，σ）を、それぞれ、式（２）、（３）のＸ，Ｙ，θｚに代入し、Ｙヘッド６５，６４の計測値ＣＹ1，ＣＹ2を予測する。予測された計測値ＣＹ1，ＣＹ2を、それぞれ、ΓＹ1，ΓＹ2と表記する。そして、主制御装置２０は、Ｙヘッド６５，６４の計測値ＣＹ1，ＣＹ2とそれらの予測値ΓＹ1，ΓＹ2との差εＹ1＝ＣＹ1−ΓＹ1，εＹ2＝ＣＹ2−ΓＹ2を、較正データとして、それぞれ、Ｙスケール３９Ｙ1，３９Ｙ2上のＹヘッド６５，６４の計測ビームの照射点の位置（ｘ，ｙ）に対して、収集する。
【００７７】
また、主制御装置２０は、Ｙヘッド６８，６７に対する較正情報を作成するための較正データεＹ1，εＹ2も、Ｙヘッド６５，６４に対するそれらと同様に収集する。
【００７８】
主制御装置２０は、較正データεＸ１，εＸ２，εＹ1，εＹ2の収集を、露光装置１００の後述する通常のシーケンスの処理実行中、すなわち露光工程、アライメント工程等の処理と並行して、実行する。ここで、図８（Ａ）に示されるように露光工程の処理と並行して収集が実行される場合、露光工程中に使用されるＸヘッド６６及びＹヘッド６５，６４に対する較正データが収集される。図８（Ａ）に示される状況では、Ｘヘッド６６５及びＹヘッド６５３，６４３に対する較正データが収集されている。また、図８（Ｂ）に示されるようにアライメント工程の処理と並行して収集が実行される場合、アライメント計測処理中に使用されるＸヘッド６６及びＹヘッド６８，６７に対する較正データが収集される。図８（Ｂ）に示される状況では、Ｘヘッド６６２及びＹヘッド６７３，６８２に対する較正データが収集されている。
【００７９】
また、主制御装置２０は、前述の手順に従って面位置計測システム１８０を用いてウエハステージＷＳＴのＺ，θｙ位置を計測すると同時に、干渉計システム１１８を用いて同じくウエハステージＷＳＴのＺ，θｙ位置及びθｘ位置を計測する。ここで、干渉計システム１１８のＺ，θｙ，θｘ位置の計測結果を、それぞれη，σｙ，σｘと表記する。
【００８０】
主制御装置２０は、Ｚヘッド７６，７２ｃ，７２ｄに対する較正情報を作成するために、較正データεＺ１を収集する。主制御装置２０は、干渉計システム１１８を用いて得られるウエハステージＷＳＴの位置計測結果（η，σｙ，σｘ）を、それぞれ、式（６）のＺ0，θｙ，θｘに代入し、Ｚヘッド７６，７２ｃ，７２ｄの計測値ＺRを予測する。予測された計測値ＺRを、ΓＺ１と表記する。そして、主制御装置２０は、Ｚヘッド７６，７２ｃ，７２ｄの計測値ＺRとその予測値ΓＺ１との差εＺ１＝ＺR−ΓＺ１を、較正データとして、Ｙスケール３９Ｙ1上のＺヘッド７６，７２ｃ，７２ｄの計測ビームの照射点の位置（ｘ，ｙ）に対して、収集する。
【００８１】
主制御装置２０は、上記と同様に、Ｚヘッド７４，７２ａ，７２ｂに対する較正情報を作成するために、較正データεＺ２を収集する。主制御装置２０は、干渉計システム１１８を用いて得られるウエハステージＷＳＴの位置計測結果（η，σｙ，σｘ）を、それぞれ、式（５）のＺ0，θｙ，θｘに代入し、Ｚヘッド７４，７２ａ，７２ｂの計測値ＺLを予測する。予測された計測値ＺLを、ΓＺ２と表記する。そして、主制御装置２０は、Ｚヘッド７４，７２ａ，７２ｂの計測値ＺLとその予測値ΓＺ２との差εＺ２＝ＺR−ΓＺ２を、較正データとして、Ｙスケール３９Ｙ2上のＺヘッド７４，７２ａ，７２ｂの計測ビームの照射点の位置（ｘ，ｙ）に対して、収集する。
【００８２】
なお、較正データεＺ１，εＺ２には、主としてスケールの表面の凹凸に起因するＺヘッドの計測誤差が取り込まれるが、原理上、スケール上の計測ビームの照射点の位置に依存するその他の計測誤差も取り込まれる。
【００８３】
主制御装置２０は、較正データεＺ１，εＺ２の収集を、露光装置の稼働中、すなわち露光工程の処理、フォーカスマッピング（及びフォーカスキャリブレーション）等の処理と並行して、実行する。ここで、図８（Ａ）に示されるように露光工程の処理と並行して収集が実行される場合、露光工程中に使用されるＺヘッド７６，７４に対する較正データが収集される。図８（Ａ）に示される状況では、Ｚヘッド７６３，７４３に対する較正データが収集されている。また、図９に示されるようにフォーカスマッピング（及びフォーカスキャリブレーション）と並行して収集が実行される場合、これらの処理中に使用されるＺヘッド７２ａ〜７２ｄに対する較正データが収集される。
【００８４】
なお、主制御装置２０は、実際の露光動作中に限らず、露光動作中にウエハステージＷＳＴが移動する領域内にウエハステージＷＳＴが位置する際に、Ｘヘッド６６及びＹヘッド６５，６４に対する較正データ、並びにＺヘッド７６，７４に対する較正データを収集しても良い。また、主制御装置２０は、実際のアライメント計測中に限らず、アライメント計測中にウエハステージＷＳＴが移動する領域内にウエハステージＷＳＴが位置する際に、Ｘヘッド６６及びＹヘッド６５，６４に対する較正データを収集しても良い。また、主制御装置２０は、実際のフォーカスマッピング（及びフォーカスキャリブレーション）中に限らず、これらの処理中にウエハステージＷＳＴが移動する領域内にウエハステージＷＳＴが位置する際に、Ｚヘッド７２ａ〜７２ｄに対する較正データを収集しても良い。
【００８５】
また、主制御装置２０は、高精度な較正情報を作成するために、較正データを選別して収集する。例えば、スケールの歪み及び凹凸に特徴がある場合、それを再現する適当なモデルを仮定する。このモデルから推測される較正データεに対応する量を、ε’と表記する。主制御装置２０は、収集される較正データεと対応するモデルε’との差ε−ε’が大きいスケール上の領域について、その他の領域より多くの較正データεを収集する。あるいは、主制御装置２０は、差ε−ε’の位置（ｘ，ｙ）についての変化が著しいスケール上の領域について、その他の領域より多くの較正データを収集する。
【００８６】
また、主制御装置２０は、ウエハステージＷＳＴの加速度が所定の許容範囲を超えた場合には、較正データの収集を中断する。これは、ウエハステージＷＳＴの加速に伴ってスケールが歪み、それによってエンコーダの計測誤差が発生するからである。また、本実施形態では、干渉計システム１１８を、エンコーダシステム１５０及び面位置計測システム１８０を較正するための基準計測系として使用している。ここで、干渉計を用いた計測では、その測長ビームの光路上の雰囲気の温度変化と温度勾配とによって発生する空気の揺らぎにより、計測誤差が発生し得る。そこで、主制御装置２０は、ウエハステージＷＳＴの速度が、空気の揺らぎによる計測誤差が発生しないあるいは十分無視できる程度である範囲を超えた場合には、較正データの収集を中断することとする。また、主制御装置２０は、ウウエハステージＷＳＴが基準姿勢（θｘ＝θｙ＝０）を維持している場合にのみ、較正データの収集を実行することが望ましい。
【００８７】
また、スケール上の全領域に渡って、偏りのない、十分な数の較正データを収集する必要がある。そこで、主制御装置２０は、ウエハステージＷＳＴが停止している場合、あるいは一部の領域内のみを移動することが明らかである場合、較正データの収集を中断することとする。これらの状況は、異常が発生し、露光装置が緊急停止した場合などに起こり得る。そこで、操作者の判断で、較正データの収集を中断することとしても良い。
【００８８】
主制御装置２０は、上述の手順に従って収集された較正データε（εＸ１，εＸ２，εＹ1，εＹ2）を用いて、エンコーダシステム１５０を構成する各ヘッド６６，６５，６４，６８，６７の計測誤差を補正するための較正情報を作成する。ここで、較正情報に対して、スケール上のｘ，ｙ位置（計測ビームの照射点のｘ，ｙ位置）の関数である試行関数ΔＣ（ｘ，ｙ）を与える。ここで、試行関数を、Ｘスケール３９Ｘ1，３９Ｘ2及びＹスケール３９Ｙ1，３９Ｙ2に対応して、それぞれ、ΔＣＸ１，ΔＣＸ２，ΔＣＹ１，ΔＣＹ２と表記する。試行関数として、例えば、一次関数ΔＣ（ｘ，ｙ）＝ａ＋ｂｘ＋ｃｙを与える。主制御装置２０は、試行関数に含まれる未定乗数ａ，ｂ，ｃを、収集された較正データεを用いて最小自乗決定する。すなわち、最小自乗誤差Ｓ＝Σｉ＝１〜Ｎ｜εｉ−ΔＣ（ｘｉ，ｙｉ）｜ｗｉが、極小値を取るように未定乗数ａ，ｂ，ｃを決定する。ただし、Ｎ個の位置ｘｉ，ｙｉに対する較正データεｉが収集されるものとした。また、ｗｉは較正データεｉに対する重みである。
【００８９】
ここで、スケール上の計測ビームの照射点のｘ，ｙ位置は、エンコーダシステム１５０を用いて計測されるウエハステージＷＳＴの位置（Ｘ，Ｙ，θｚ）から換算する。あるいは、干渉計システム１１８を用いて計測されるウエハステージＷＳＴの位置（ξ，ζ，σ）から換算しても良い。しかし、いずれにおいても、換算されたｘ，ｙ位置には計測誤差が含まれてしまう。そこで、上記の最小自乗誤差Ｓにおける重みｗｉを、例えばｗｉ＝σｉ２＋ｂ２σｘｉ２＋ｃ２σｙｉ２と与えると良い。ただし、σｉ，σｘｉ，σｙｉは、εｉ，ｘｉ，ｙｉについての標準偏差である。
【００９０】
また、主制御装置２０は、上述の手順に従って収集された較正データε（εＺ１，εＺ２）を用いて、面位置計測システム１８０を構成する各Ｚヘッド７６，７４，７２ａ〜７２ｄの計測誤差を補正するための較正情報を作成する。ここで、較正情報に対して、スケール上のｘ，ｙ位置（Ｚヘッドが発する計測ビームの照射点のｘ，ｙ位置）の関数である試行関数ΔＺ（ｘ，ｙ）を与える。ここで、Ｙスケール３９Ｙ1，３９Ｙ2に対する試行関数を、それぞれ、ΔＺ１，ΔＺ２と表記する。試行関数として、例えば、一次関数ΔＺ（ｘ，ｙ）＝ａ＋ｂｘ＋ｃｙを与える。主制御装置２０は、試行関数に含まれる未定乗数ａ，ｂ，ｃを、収集された較正データεを用いて最小自乗決定する。すなわち、最小自乗誤差Ｓ＝Σｉ＝１〜Ｎ｜εｉ−ΔＺ（ｘｉ，ｙｉ）｜ｗｉが、極小値を取るように未定乗数ａ，ｂ，ｃを決定する。ただし、Ｎ個の位置ｘｉ，ｙｉに対する較正データεｉが収集されるものとした。また、ｗｉは較正データεｉに対する重みである。
【００９１】
そして、ウエハステージＷＳＴを駆動するに際し、主制御装置２０は、例えば、作成された較正情報ΔＣＸ１（ｘ，ｙ）を用いて、Ｘヘッド６６５〜６６８の計測情報ＣＸ１を、〈ＣＸ１〉＝ＣＸ１−ΔＣＸ１（ｘ，ｙ）と補正する。ここで、ｘ，ｙは、Ｘスケール３９Ｘ1上のＸヘッド６６５〜６６８の計測ビームの照射点の位置である。このように補正された各ヘッドの計測情報〈ＣＸ１〉又は〈ＣＸ２〉，〈ＣＹ１〉，〈ＣＹ２〉を、連立方程式（１）〜（３）内のＣX，ＣY1，ＣY2に代入し、方程式を解くことにより、ウエハステージＷＳＴのＸＹ平面内での位置（Ｘ，Ｙ，θｚ）を算出する。この算出結果に従って、ウエハステージＷＳＴを駆動制御する。
【００９２】
また、ウエハステージＷＳＴを駆動するに際し、主制御装置２０は、作成された較正情報ΔＺ１（ｘ，ｙ）を用いて、Ｚヘッド７６，７２ｃ，７２ｄの計測情報ＺRを、〈ＺR〉＝ＺR−ΔＺ１（ｘ，ｙ）と補正する。ここで、ｘ，ｙは、Ｙスケール３９Ｙ1上のＺヘッド７６，７２ｃ，７２ｄの計測ビームの照射点の位置である。同様に、作成された較正情報ΔＺ２（ｘ，ｙ）を用いて、Ｚヘッド７４，７２ａ，７２ｂの計測情報ＺLを、〈ＺL〉＝ＺL−ΔＺ２（ｘ，ｙ）と補正する。ここで、ｘ，ｙは、Ｙスケール３９Ｙ2上のＺヘッド７４，７２ａ，７２ｂの計測ビームの照射点の位置である。このように補正された各ヘッドの計測情報〈ＺR〉，〈ＺL〉を、式（７）、（８）内のＺR，ＺLに代入して、ウエハステージＷＳＴのＺ，θｙ位置を算出する。Ｚヘッド７２ａ〜７２ｄに対しては、式（９）、（１０）内のＺａ〜Ｚｄに代入して、ウエハステージＷＳＴのＺ，θｙ位置を算出する。この算出結果に従って、ウエハステージＷＳＴを駆動制御する。
【００９３】
本実施形態の露光装置１００では、例えば、所定数のウエハの露光が終了し、最後のウエハを交換する毎に、上述の手順に従って較正情報ΔＣ（ΔＣＸ１，ΔＣＸ２，ΔＣＹ１，ΔＣＹ２）、及び／又は較正情報ΔＺ（ΔＺ１，ΔＺ２）を更新することとする。なお、所定数として、例えば１、あるいは２５（１ロット）と定める。さらに、較正情報を作成する際、収集してから一定時間内の較正データε（εＸ１，εＸ２，εＹ1，εＹ2）、及び／又はε（εＺ１，εＺ２）のみを用いることとする。そして、試行関数に含まれる未定乗数を最小自乗決定し、一定の決定精度が得られた場合にのみ、較正情報ΔＣ、及び／又はΔＺを更新することとする。このように、適宜、較正情報を更新することにより、エンコーダシステム１５０、及び／又は面位置計測システム１８０の計測誤差、さらに時間とともに拡大するような計測誤差でさえも、解消することができるので、高精度且つ安定なウエハステージＷＳＴの駆動制御が可能となる。
【００９４】
なお、較正情報ΔＣＸ１は、Ｘスケール３９Ｘ1に対向するＸヘッド６６５〜６６８について使用する共通の情報として作成しても良い。同様に、較正情報ΔＣＸ２，ΔＣＹ１，及びΔＣＹ２は、それぞれ、Ｘスケール３９Ｘ2、Ｙスケール３９Ｙ1，及び３９Ｙ2に対向するＸヘッド６６１〜６６４，Ｙヘッド６５，６８，及び６４，６７について使用する共通の情報として作成しても良い。また、較正情報ΔＺ１，ΔＺ２は、それぞれ、Ｙスケール３９Ｙ1，３９Ｙ2に対向するＺヘッド７６，７４について使用する共通の情報として作成しても良い。
【００９５】
また、露光工程中及びアライメント計測工程中、特に異常が発生しない限り、ウエハステージＷＳＴは一定の軌道上を移動する。従って、個々のヘッドが計測ビームを照射するスケール上の領域は、一部の領域に限られる。そこで、較正情報を、個々のヘッドについて使用する個別の情報として作成しても良い。ただし、この処理において、個々のヘッドについての較正情報の間の連続性が損なわれる可能性がある。その場合、使用するヘッドを切り換えるウエハステージＷＳＴの位置での較正情報を基準にして、切り換え対象のヘッドの一方についての較正情報にオフセットを加えることにより、較正情報間の連続性を保障すれば良い。
【００９６】
また、より高精度な較正情報を作成するために、２次以上の高次の試行関数ΔＣ（ｘ，ｙ）あるいはΔＺ（ｘ，ｙ）を用いても良い。この場合、較正情報は、１つのスケールに対向する全てのヘッドについて使用する共通の情報として作成することになる。ただし、全てのヘッドを用いて得られる較正データεの連続性が、スケール上の全領域について十分保証されることを条件とする。
【００９７】
ここで、主制御装置２０によって実行されるウエハステージＷＳＴを用いた通常のシーケンスの処理について説明する。
【００９８】
アンローディングポジションＵＰ（図４参照）にウエハステージＷＳＴがあるときに、ウエハＷがアンロードされ、ローディングポジションＬＰ（図４参照）に移動したときに、新たなウエハＷがウエハテーブルＷＴＢ上にロードされる。アンローディングポジションＵＰ、ローディングポジションＬＰ近傍では、ウエハステージＷＳＴの６自由度の位置は、干渉計システム１１８の計測値に基づいて制御されている。このとき、Ｘ干渉計１２８が用いられる。
【００９９】
ローディング終了後、ウエハステージＷＳＴを移動して、計測プレート３０の基準マークＦＭをプライマリアライメント系ＡＬ１で検出するプライメリアライメント系ＡＬ１のベースラインチェック前半の処理が行われる。これと前後して、エンコーダシステム及び干渉計システムの原点の再設定（リセット）が行われる。
【０１００】
その後、エンコーダシステム１５０及びＺヘッド７２ａ〜７２ｄを用いてウエハステージＷＳＴの６自由度方向の位置を計測しつつ、アライメント系ＡＬ１，ＡＬ２1〜ＡＬ２4を用いて、ウエハＷ上の複数のサンプルショット領域のアライメントマークを検出するアライメント計測が実行され、これと並行して多点ＡＦ系（９０ａ、９０ｂ）を用いてフォーカスマッピング（Ｚヘッド７２ａ〜７２ｄの計測値を基準とする、ウエハＷの面位置（Ｚ位置）情報の計測）が行われる。そして、これらアライメント計測及びフォーカスマッピングのためのウエハステージＷＳＴの＋Ｙ方向への移動中に、計測プレート３０が投影光学系ＰＬの直下に達したとき、空間像計測装置４５Ａ，４５Ｂを用いてレチクルＲ上の一対のアライメントマークをスリットスキャン方式で計測する、プライマリアライメント系ＡＬ１のベースラインチェック後半の処理が行われる。
【０１０１】
その後、アライメント計測及びフォーカスマッピングが続行される。
【０１０２】
そして、アライメント計測及びフォーカスマッピングが終了すると、アライメント計測の結果求められるウエハ上の各ショット領域の位置情報と、最新のアライメント系のベースラインとに基づいて、ステップ・アンド・スキャン方式でウエハＷ上の複数のショット領域が露光され、レチクルのパターンが転写される。露光動作中、フォーカスマッピングにより得られた情報に基づいて、ウエハＷのフォーカスレベリング制御が行われる。なお、露光中のウエハのＺ、θｙは、Ｚヘッド７４，７６の計測値に基づいて制御されるが、θｘは、Ｙ干渉計１６の計測値に基づいて制御される。
【０１０３】
なお、セカンダリアライメント系ＡＬ２1〜ＡＬ２4のベースライン計測は、適宜なタイミングで、国際公開第２００７／０９７３７９号パンフレットに開示される方法と同様に、前述のエンコーダ７０Ｅ2，７０Ｆ2の計測値に基づいて、ＦＤバー４６（ウエハステージＷＳＴ）のθｚ回転を調整した状態で、アライメント系ＡＬ１、ＡＬ２1〜ＡＬ２4を用いて、それぞれの視野内にあるＦＤバー４６上の基準マークＭを同時に計測することで行われる。
【０１０４】
上述のようにして、ウエハステージＷＳＴを用いた一連の処理が行われる。
【０１０５】
以上詳細に説明したように、本実施形態の露光装置１００では、主制御装置２０が、エンコーダシステム１５０及び面位置計測システム１８０を用いて、ウエハステージＷＳＴの位置情報を計測し、個々のエンコーダヘッドの計測情報Ｃのこれに対応する基準情報Γからのずれε、及び個々のヘッドの計測情報Ｚのこれに対応する基準情報Γからのずれεを、収集する。そして、主制御装置２０は、収集されたずれεを用いて、個々のエンコーダヘッド、Ｚヘッドの計測誤差を補正するための較正情報ΔＣ、ΔＺを作成する。そして、ウエハステージＷＳＴを駆動するに際し、主制御装置２０は、作成された較正情報ΔＣ、ΔＺを用いて計測されたウエハステージＷＳＴの位置情報を補正し、補正された位置情報に従ってウエハステージＷＳＴを駆動する。これにより、高精度なウエハステージＷＳＴの駆動制御が可能となる。
【０１０６】
さらに、主制御装置２０は、較正情報ΔＣを作成するためのずれεを、露光工程の処理及びアライメント計測工程の処理の少なくとも一方と並行して、収集する。また、主制御装置２０は、較正情報ΔＺを作成するためのずれεを、露光動作、及びフォーカスマッピング（及びフォーカスキャリブレーション）の少なくとも１つと並行して、収集する。これにより、スループットを低下させることなく高精度なウエハステージＷＳＴの駆動制御を維持するとともに、露光装置の稼働中に拡大・縮小し得る計測誤差をも較正することが可能となる。
【０１０７】
また、本実施形態の露光装置１００では、ウエハステージＷＳＴの位置情報を基準計測系を用いて計測し、その計測情報から個々のエンコーダヘッドの計測情報Ｃ及びＺヘッドの計測情報Ｚを予測し、予測された計測情報Γからの個々のエンコーダヘッドの計測情報Ｃのずれε、及び予測された計測情報Γからの個々のＺヘッドの計測情報のずれεをスケール上の計測ビームの照射点の位置に対して収集する。そして、主制御装置２０は、収集されたずれεを用いて、エンコーダシステム１５０を用いて計測される位置情報を補正するための較正情報ΔＣ、及び面位置計測システム１８０を用いて計測される位置情報を補正するための較正情報較正情報ΔＺを作成する。従って、スケールの歪みに起因する計測誤差（及び同様にスケール上の計測ビームの照射点の位置に依存する計測誤差）を補正するための較正情報を作成することができる。そして、ウエハステージＷＳＴを駆動するに際し、エンコーダシステム１５０及び面位置計測システム１８０を用いて計測されたウエハステージＷＳＴの位置情報を、作成された較正情報を用いて補正し、補正された位置情報に従ってウエハステージＷＳＴを駆動することができる。これにより、高精度なウエハステージＷＳＴの駆動制御が可能となる。
【０１０８】
また、本実施形態では、基準計測系として干渉計システム１１８を採用し、干渉計システム１１８を用いて計測されるウエハステージＷＳＴの位置情報から予測される個々のエンコーダヘッド及びＺヘッドの計測情報を基準情報として使用した。ここで、干渉計を用いた計測では、前述の通り、空気の揺らぎに起因する計測誤差が発生し得る。しかし、本実施形態のように、較正データを選別して収集することにより、計測誤差を含まない、あるいは小さな誤差を含む良質の較正データのみを収集することができる。また、本実施形態のように較正情報を作成することにより、較正データに含まれ得る計測誤差が平均化されるため、高精度な較正情報を作成することができる。
【０１０９】
なお、上記実施形態で説明したエンコーダシステムなどの各計測装置の構成は一例に過ぎず、本発明がこれに限定されないことは勿論である。例えば、上記実施形態では、ウエハテーブル（ウエハステージ）上に格子部（Ｙスケール、Ｘスケール）を設け、これに対向してＸヘッド、Ｙヘッドをウエハステージの外部に配置する構成のエンコーダシステムを採用した場合について例示したが、これに限らず、例えば米国特許出願公開第２００６／０２２７３０９号明細書などに開示されているように、ウエハステージにエンコーダヘッドを設け、これに対向してウエハステージの外部に格子部（例えば２次元格子又は２次元に配置された１次元の格子部）を配置する構成のエンコーダシステムを採用しても良い。この場合において、Ｚヘッドもウエハステージに設け、その格子部の面を、Ｚヘッドの計測ビームが照射される反射面としても良い。
【０１１０】
また、上記実施形態では、例えばヘッドユニット６２Ａ，６２Ｃの内部にエンコーダヘッドとＺヘッドとが、別々に設けられている場合について説明したが、エンコーダヘッドとＺヘッドとの機能を備えた単一のヘッドを、エンコーダヘッドとＺヘッドの組に代えて用いても良い。
【０１１１】
また、上述の実施形態では、本発明が、液体（水）を介さずにウエハＷの露光を行うドライタイプの露光装置に適用された場合について説明したが、これに限らず、例えば国際公開第９９／４９５０４号パンフレット、欧州特許出願公開第１４２０２９８号明細書、国際公開第２００４／０５５８０３号パンフレット、特開２００４−２８９１２６号公報（対応米国特許第６,９５２,２５３号明細書）などに開示されているように、投影光学系とウエハとの間に照明光の光路を含む液浸空間を形成し、投影光学系及び液浸空間の液体を介して照明光でウエハを露光する露光装置にも本発明を適用することができる。また、例えば国際公開第２００７／０９７３７９号パンフレット（対応米国特許出願公開第２００８／０８８４３号明細書）に開示される、液浸露光装置などにも、本発明を適用することができる。この国際公開第２００７／０９７３７９号パンフレット（対応米国特許出願公開第２００８／０８８４３号明細書）に開示される液浸露光装置では、ウエハステージに設けられたグレーティング（スケール）に計測ビームを照射し、その反射光を受光することによって、グレーティングの周期方向に関するヘッドとスケールとの間の相対位置を計測するエンコーダシステムが採用されている。このため、液浸液（液体）によって形成される液浸領域がスケール上を覆うことがある。この時、液浸液（液体）とスケールとの間で熱の移動が起こり、スケールに熱応力が加わり得るので、露光装置の稼働中に、スケールの歪みが拡大・縮小することも考えられる。従って、この露光装置には、上記実施形態で説明したように、通常の露光装置のシーケンス中に、前述のずれを収集し、較正情報を作成する、本発明は、特に好適に適用することができる。
【０１１２】
また、上記実施形態では、ステップ・アンド・スキャン方式等の走査型露光装置に本発明が適用された場合について説明したが、これに限らず、ステッパなどの静止型露光装置に本発明を適用しても良い。ステッパなどであっても、露光対象の物体が搭載されたステージの位置を上記実施形態と同様に、エンコーダを用いて計測することができるので、同様の効果を得ることができる。また、ショット領域とショット領域とを合成するステップ・アンド・スティッチ方式の縮小投影露光装置、プロキシミティー方式の露光装置、又はミラープロジェクション・アライナーなどにも本発明は適用することができる。さらに、例えば米国特許第６，５９０，６３４号明細書、米国特許第５，９６９，４４１号明細書、米国特許第６，２０８，４０７号明細書などに開示されているように、複数のウエハステージを備えたマルチステージ型の露光装置にも本発明を適用できる。また、例えば国際公開第２００５／０７４０１４号パンフレットなどに開示されているように、ウエハステージとは別に、計測部材（例えば、基準マーク、及び／又はセンサなど）を含む計測ステージを備える露光装置にも本発明は適用が可能である。
【０１１３】
また、上記実施形態の露光装置における投影光学系は縮小系のみならず等倍及び拡大系のいずれでも良いし、投影光学系ＰＬは屈折系のみならず、反射系及び反射屈折系のいずれでも良いし、その投影像は倒立像及び正立像のいずれでも良い。また、前述の照明領域及び露光領域はその形状が矩形であるものとしたが、これに限らず、例えば円弧、台形、あるいは平行四辺形などでも良い。
【０１１４】
なお、上記実施形態の露光装置の光源は、ＡｒＦエキシマレーザに限らず、ＫｒＦエキシマレーザ（出力波長２４８ｎｍ）、Ｆ2レーザ（出力波長１５７ｎｍ）、Ａｒ2レーザ（出力波長１２６ｎｍ）、Ｋｒ2レーザ（出力波長１４６ｎｍ）などのパルスレーザ光源、ｇ線（波長４３６ｎｍ）、ｉ線（波長３６５ｎｍ）などの輝線を発する超高圧水銀ランプなどを用いることも可能である。また、ＹＡＧレーザの高調波発生装置などを用いることもできる。この他、例えば米国特許７,０２３,６１０号明細書に開示されているように、真空紫外光としてＤＦＢ半導体レーザ又はファイバーレーザから発振される赤外域、又は可視域の単一波長レーザ光を、例えばエルビウム（又はエルビウムとイッテルビウムの両方）がドープされたファイバーアンプで増幅し、非線形光学結晶を用いて紫外光に波長変換した高調波を用いても良い。
【０１１５】
また、上記実施形態では、露光装置の照明光ＩＬとしては波長１００ｎｍ以上の光に限らず、波長１００ｎｍ未満の光を用いても良いことはいうまでもない。例えば、近年、７０ｎｍ以下のパターンを露光するために、ＳＯＲやプラズマレーザを光源として、軟Ｘ線領域（例えば５〜１５ｎｍの波長域）のＥＵＶ（Extreme Ultraviolet）光を発生させるとともに、その露光波長（例えば１３．５ｎｍ）の下で設計されたオール反射縮小光学系、及び反射型マスクを用いたＥＵＶ露光装置の開発が行われている。この装置においては、円弧照明を用いてマスクとウエハを同期走査してスキャン露光する構成が考えられるので、かかる装置にも本発明を好適に適用することができる。この他、電子線又はイオンビームなどの荷電粒子線を用いる露光装置にも、本発明は適用できる。
【０１１６】
また、上述の実施形態においては、光透過性の基板上に所定の遮光パターン（又は位相パターン・減光パターン）を形成した光透過型マスク（レチクル）を用いたが、このレチクルに代えて、例えば米国特許第６，７７８，２５７号明細書に開示されているように、露光すべきパターンの電子データに基づいて、透過パターン又は反射パターン、あるいは発光パターンを形成する電子マスク（可変成形マスク、アクティブマスク、あるいはイメージジェネレータとも呼ばれ、例えば非発光型画像表示素子（空間光変調器）の一種であるＤＭＤ（Digital Micro-mirror Device）などを含む）を用いても良い。
【０１１７】
また、例えば干渉縞をウエハ上に形成することによって、ウエハ上にライン・アンド・スペースパターンを形成する露光装置（リソグラフィシステム）にも本発明を適用することができる。
【０１１８】
さらに、例えば米国特許第６，６１１，３１６号明細書に開示されているように、２つのレチクルパターンを投影光学系を介してウエハ上で合成し、１回のスキャン露光によってウエハ上の１つのショット領域をほぼ同時に二重露光する露光装置にも本発明を適用することができる。
【０１１９】
なお、上記実施形態でパターンを形成すべき物体（エネルギビームが照射される露光対象の物体）はウエハに限られるものではなく、ガラスプレート、セラミック基板、フィルム部材、あるいはマスクブランクスなど、他の物体でも良い。
【０１２０】
露光装置の用途としては半導体製造用の露光装置に限定されることなく、例えば、角型のガラスプレートに液晶表示素子パターンを転写する液晶用の露光装置、有機ＥＬ、薄膜磁気ヘッド、撮像素子（ＣＣＤ等）、マイクロマシン及びＤＮＡチップなどを製造するための露光装置にも広く適用できる。また、半導体素子などのマイクロデバイスだけでなく、光露光装置、ＥＵＶ露光装置、Ｘ線露光装置、及び電子線露光装置などで使用されるレチクル又はマスクを製造するために、ガラス基板又はシリコンウエハなどに回路パターンを転写する露光装置にも本発明を適用できる。
【０１２１】
半導体素子などの電子デバイスは、デバイスの機能・性能設計を行うステップ、この設計ステップに基づいたレチクルを製作するステップ、シリコン材料からウエハを製作するステップ、前述した実施形態の露光装置（パターン形成装置）によりマスク（レチクル）のパターンをウエハに転写するリソグラフィステップ、露光されたウエハを現像する現像ステップ、レジストが残存している部分以外の部分の露出部材をエッチングにより取り去るエッチングステップ、エッチングが済んで不要となったレジストを取り除くレジスト除去ステップ、デバイス組み立てステップ（ダイシング工程、ボンディング工程、パッケージ工程を含む）、検査ステップ等を経て製造される。この場合、リソグラフィステップで、上記実施形態の露光装置を用いて前述の露光方法が実行され、ウエハ上にデバイスパターンが形成されるので、高集積度のデバイスを生産性良く製造することができる。
【産業上の利用可能性】
【０１２２】
本発明の露光方法及び装置は、物体上にパターンを形成するのに適している。また、本発明のデバイス製造方法は、半導体素子又は液晶表示素子などの電子デバイスを製造するのに適している。
【図面の簡単な説明】
【０１２３】
【図１】一実施形態の露光装置の構成を概略的に示す図である。
【図２】ウエハステージを示す平面図である。
【図３】図１の露光装置が備えるステージ装置及び干渉計の配置を示す平面図である。
【図４】図１の露光装置が備えるステージ装置及びセンサユニットの配置を示す平面図である。
【図５】エンコーダヘッド（Ｘヘッド、Ｙヘッド）とアライメント系の配置を示す平面図である。
【図６】Ｚヘッドと多点ＡＦ系の配置を示す平面図である。
【図７】一実施形態の露光装置の制御系の主要な構成を示すブロック図である。
【図８】図８（Ａ）は露光工程中におけるエンコーダを用いたウエハステージの位置計測と較正データの収集、図８（Ｂ）はアライメント計測中におけるエンコーダを用いたウエハステージの位置計測と較正データの収集、を説明するための図である。
【図９】フォーカスマッピング及びフォーカスキャリブレーション中におけるＺヘッドを用いたウエハステージの位置計測と較正データの収集を説明するための図である。
【符号の説明】
【０１２４】
１０…照明系、２０…主制御装置、３９Ｘ1，３９Ｘ2…Ｘスケール、３９Ｙ1，３９Ｙ2…Ｙスケール、５０…ステージ装置、６２Ａ〜６２Ｆ…ヘッドユニット、６４，６５…Ｙヘッド、６６…Ｘヘッド、６７，６８…Ｙヘッド、７０Ａ，７０Ｃ…Ｙエンコーダ、７０Ｂ，７０Ｄ…Ｘエンコーダ、７２ａ〜７２ｄ，７４，７６…Ｚヘッド、１００…露光装置、１１８…干渉計システム、１２４…ステージ駆動系、１５０…エンコーダシステム、１８０…面位置計測システム、ＰＬ…投影光学系、ＰＵ…投影ユニット，ＲＳＴ…レチクルステージ、Ｒ…レチクル、Ｗ…ウエハ、ＷＳＴ…ウエハステージ、ＷＴＢ…ウエハテーブル。
【図１】
2010050290.tif 000003
【図２】
2010050290.tif 000004
【図３】
2010050290.tif 000005
【図４】
2010050290.tif 000006
【図５】
2010050290.tif 000007
【図６】
2010050290.tif 000008
【図７】
2010050290.tif 000009
【図８】
2010050290.tif 000010
【図９】
2010050290.tif 000011